(57)【要約】【課題】複合分割パネルバックライト形式の面状照明装置において、消費電力の増大を避けつつ、迷光の影響を受けることなく輝度の均一性を確保する。【解決手段】一主面を発光面とする導光板と、導光板の一側端面に配置された光源１４とを含む照明ユニット１２が、二次元状に配列されることによって、発光面積の広い複合分割パネルバックライトが構成される。各照明ユニット１２の光源１４であるＬＥＤチップの、導光板１６の発光面側に、光源１４からの光を拡散または反射する手段２６を備える透光性部材２４が配置されている。この透光性部材２４によって、光源１４からの漏れ光を拡散または反射して、導光板１６の発光面側から視認される迷光を減少させると共に、透光性部材２４自体が光源１４からの光を受けて発光し、複合分割パネルバックライト２２全体としての輝度を、均等に高めるものである。【選択図】図１
2008108623.tif 000002
【特許請求の範囲】
【請求項１】
一主面を発光面とする導光板と、該導光板の一側端面に配置された光源とを含む照明ユニットを二次元状に配列してなる面状照明装置において、
前記各照明ユニットの光源の前記発光面側に、前記光源からの光を拡散または反射する手段を備える透光性部材が配置されていることを特徴とする面状照明装置。
【請求項２】
前記透光性部材は、前記光源からの光を拡散または反射する手段として、少なくとも一側端面に傾斜面が形成され、一主面を発光面とする補助導光板であることを特徴とする請求項１記載の面状照明装置。
【請求項３】
前記照明ユニットが、前記光源の出射方向に対して所定の間隔を空けて配置され、前記補助導光板が、前記所定の間隔を空けて配置された照明ユニットの各導光板の互いに向かい合う側の端部の発光面側を被うように搭載されることを特徴とする請求項２記載の面状照明装置。
【請求項４】
前記傾斜面には、増反射処理が施されていることを特徴とする請求項２又は３記載の面状照明装置。
【請求項５】
前記透光性部材は、少なくとも一方の主面に前記反射手段により反射された光の光路を変換する手段が形成されていることを特徴とする請求項２から４のいずれか１項記載の面状照明装置。
【発明の詳細な説明】
【技術分野】
【０００１】
本発明は、液晶表示装置のバックライトユニットとして好適に用いられる面状照明装置に関するものである。
【背景技術】
【０００２】
液晶表示装置は、電子機器等の表示装置として広範に使用されており、近年、パーソナルコンピュータやテレビ受像機の表示デバイスに代表されるような比較的大型の表示装置においても、ＣＲＴ（Cathode Ray Tube）から液晶表示装置への代替が進んでいる。
【０００３】
従来、このような大型の液晶表示装置のバックライトとしては、光源である複数の冷陰極管（以下、ＣＣＦＬともいう）を液晶パネル直下に備え、光学シート類や拡散板で集光および光強度の均整化を行うＣＣＦＬ直下方式のバックライトが主流である（特許文献１参照）。
【０００４】
さらに、近年、液晶表示装置において、その画質改善や高機能化のために、以下に述べるような様々な試みがなされており、それに伴って、バックライトにも従来とは異なる特性が求められるようになってきている。
【０００５】
例えば、液晶パネルにおける動画表示の視認性の問題を解決する１つの手段として、画像表示の各フレーム期間中に強制的に黒表示期間を挿入することによって、液晶パネルの画素輝度の応答をインパルス応答に近付けた、いわゆる擬似インパルス駆動方式が知られている。
【０００６】
擬似インパルス駆動において黒表示期間を生成する手段としては、その期間中バックライトを消灯することが提案されており、この場合、バックライトには、高速に点滅可能であることが求められる。同様に、黒表示期間を生成する手段として、画像信号に１フレーム期間毎に黒書き込み信号を挿入することも提案されているが、有効な擬似インパルス駆動を実現するためには、この場合でも、黒書き込み信号に同期して、バックライトを高速に点滅させることが望ましい。
【０００７】
特に、応答速度の速い液晶パネルの場合には、画像信号に、走査ライン毎に所定のタイミングで黒書き込み信号を挿入することにより、画面中の連続する複数の走査ラインからなる部分に黒領域を表示すると共に、表示される黒領域の位置を、画像の走査に同期してシフトさせる方式（以下、黒挿入駆動方式という）が提案されており、この場合、バックライトの全発光領域のうち、黒領域の直下に存在する部分領域のみを、黒領域のシフトに同期させつつ選択的に消灯することが求められるものである。
【０００８】
また、画像のコントラストの向上および消費電力の削減等を目的としてバックライトの発光状態を部分的に制御する技術として、いわゆるエリア・コントロール方式が提案されおり、この方式では、画像中に、その表示階調上、照明の不要な黒領域が存在するときに、その領域の直下に存在する部分領域を選択的に消灯するように、バックライトを駆動するものである。
【０００９】
画像の表示階調としての黒領域は、上述した動画表示性能の改善のために強制的に挿入される黒領域とは異なり、画面上に出現するときの形状および大きさが不定であるため、有効なエリア・コントロールを実現するには、バックライトの発光領域を構成する独立に点滅可能な各部分領域を、十分に精細なものとする必要がある。
【００１０】
【特許文献１】特許第３６５３２７４号
【発明の開示】
【発明が解決しようとする課題】
【００１１】
しかしながら、従来のバックライトによって、上述したような液晶表示装置の高画質化および高機能化に対応するには、次のような問題点があった。
【００１２】
まず、ＣＣＦＬ直下方式のバックライトでは、ＣＣＦＬの応答速度の低さ、および、バックライトに通常搭載されるＣＣＦＬの本数の制約等の点から、擬似インパルス駆動（特に、上記黒挿入駆動方式）に対応するバックライトを実現することは、一般には、困難なものであった。
【００１３】
同様に、ＣＣＦＬ直下方式のバックライトでは、その構造上、バックライトの発光領域をＣＣＦＬの管長方向と直交する方向に分割して部分領域を構成することは不可能であり、したがって、エリア・コントロールにおける制御可能な部分領域の大きさおよび形状が著しく不十分なものとならざるを得ない。
【００１４】
一方、近年、液晶パネルの直下に備える光源を、ＣＣＦＬではなく、赤色（Ｒ）、緑色（Ｇ）、および、青色（Ｂ）に発光する発光ダイオード（ＬＥＤ）とし、これらのＬＥＤを液晶パネルの直下に多数敷き詰め、それらの光を混色して白色光を得るタイプのバックライトが提案されており、このようなバックライトの場合には、擬似インパルス駆動やエリア・コントロールへの適用に際して、上述したような問題は回避される。
【００１５】
しかしながら、赤色ＬＥＤ、緑色ＬＥＤ、および、青色ＬＥＤからの光を混色して白色光を得る方法は、光電変換効率が低く、適切な輝度の白色光を得るために必要な消費電力、および、光源からの発熱量、および、コスト等の点で問題がある。そこで、本発明者らは、イットリウム・アルミニウム・ガーネット（ＹＡＧ）微粒子が混入された発光層に青色発光ＬＥＤの光を透光させることで、擬似的に白色光を得るＬＥＤチップを用い、かかる擬似白色ＬＥＤチップを、一主面を発光面とする導光板の一側端面に配置してなる、いわゆるエッジライト方式のバックライトを発案し、適切な輝度の白色光を得るために必要な消費電力、および、光源からの発熱量、および、コスト等の問題解決を目指している。
【００１６】
ところが、エッジライト方式の照明ユニット特有の問題として、ＬＥＤチップを中心としたホットスポットと呼ばれる目玉状の漏れ光が発生する他、導光板の入光端近傍エリアに強い輝線が発生する等のいわゆる「迷光」が生じ、バックライト光の質感を低下させるという更に別の問題が生じることとなった。
【００１７】
かかる迷光対策として、携帯電話用ＬＣＤパネル等、比較的表示領域の狭いＬＣＤパネルに対しては、迷光の目立つ範囲を非有効領域としてＬＣＤの表示領域の外側に置くことで、ＬＣＤの表示領域における輝度の均一性を確保することが可能である。しかしながら、エッジライト方式の照明ユニットを大型ＬＣＤパネルのバックライトとして使用する場合には、ＬＣＤパネルのサイズに合わせて複数の照明ユニットを二次元状に配列した、複合分割パネルバックライトを構成する必要があり、各照明ユニットの非有効領域をＬＣＤの表示領域の外側に置いて隠してしまうことはできない。
【００１８】
そこで、従来の複合分割パネルバックライト１０は、図６（ａ）、（ｂ）に示されるように、各照明ユニット１２のＬＥＤチップ１４上部や、導光板１６の入光端近傍（側端面）を被うように、短冊状の目隠しフィルム（遮光フィルム又は光反射フィルム）１８を被せて、迷光の影響を可能な限り排除する手法を採用している。図６中、符号２０で示される部分は、複合分割パネルバックライト１０の全体に渡って広がる光反射フィルムである。
【００１９】
しかしながら、目隠しフィルム１８に遮光フィルムを用いる手法は、遮光フィルムが光エネルギーを吸収することによって迷光輝度を低下させることを企図したものであるため、複合分割パネルバックライト１０全体としての輝度が低下してしまう。よって、複合分割パネルバックライト１０に必要な輝度を与えるためには、ＬＥＤチップの輝度を増大させる必要があり、消費電力の増大を来たすものである。又、目隠しフィルム１８に光反射フィルムを用いる手法は、反射光を一旦導光板１６に戻してバックライト光として有効利用することを目的としているが、その利用効率は低く、複合分割パネルバックライト１０に必要な輝度を与えるためには、ＬＥＤチップの輝度を増大させる必要があり、消費電力の増大は避けられない。また、短冊状の目隠しフィルム１８として遮光フィルム又は光反射フィルムのいずれを用いた場合であっても、それらは光を透過させないことから、目隠しフィルム１８の存在自体が暗部の発生要因となり、輝度の均一性を悪化させることになる。
【００２０】
本発明は、上記課題に鑑みてなされたものであり、その目的とするところは、複合分割パネルバックライト形式の面状照明装置において、消費電力の増大を避けつつ、迷光の影響を受けることなく輝度の均一性を確保することにある。
【課題を解決するための手段】
【００２１】
上記課題を解決するために、本発明の面状照明装置は、一主面を発光面とする導光板と、該導光板の一側端面に配置された光源とを含む照明ユニットを二次元状に配列してなる面状照明装置である。そして、前記各照明ユニットの光源の前記発光面側に透光性部材を配置し、該透光性部材によって前記光源からの光を拡散または反射することにより、迷光の影響を抑えると共に、その光を有効利用することで、バックライトユニット形式の面状照明装置の消費電力を低減させつつ、迷光の影響を受けることなく輝度の均一性を確保するものである。
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【００２２】
（１）一主面を発光面とする導光板と、該導光板の一側端面に配置された光源とを含む照明ユニットを二次元状に配列してなる面状照明装置において、前記各照明ユニットの光源の前記発光面側に、前記光源からの光を拡散または反射する手段を備える透光性部材が配置されている面状照明装置。（請求項１）。
本項に記載の面状照明装置は、一主面を発光面とする導光板と、導光板の一側端面に配置された光源とを含む照明ユニットが、二次元状に配列されることによって、大型ＬＣＤパネルのバックライトとして最適な、発光面積の広い複合分割パネルバックライトが構成されるものである。しかも、各照明ユニットの光源の、導光板の発光面側に、光源からの光を拡散または反射する手段を備える透光性部材が配置されており、この透光性部材によって、光源からの漏れ光を拡散または反射して、導光板の発光面側から視認される迷光を減少させると共に、透光性部材自体が光源からの光を受けて発光し、複合分割パネルバックライト全体としての輝度を均等に高めるものである。透光性部材は、従来の迷光対策のために用いられる目隠しフィルムと異なり、遮光性や光反射性が求められるものではなく、それ自体光を受けて発光するものであることから、迷光を効率的に利用して、複合分割パネルバックライト全体としての輝度を確保することができる。
【００２３】
（２）前記透光性部材は、光源からの光を拡散または反射する手段として、少なくとも一側端面に傾斜面が形成され、一主面を発光面とする補助導光板である面状照明装置（請求項２）。
本項に記載の面状照明装置に係る補助導光板は、光源からの光を拡散または反射する手段として、少なくとも一側端面に傾斜面が形成されており、各照明ユニットの光源によって生ずるホットスポット光や、各照明ユニットの導光板の入光端近傍エリアに発生する強い輝線が、補助導光板の下面から受光して傾斜面で光路変換される。そして、傾斜面で光路変換された光が補助導光板内を伝搬する過程で、発光面から各照明ユニットの導光板の発光面側へと出射することにより、補助導光板の発光面が発光する。
【００２４】
（３）前記照明ユニットが、前記光源の出射方向に対して所定の間隔を空けて配置され、前記補助導光板が、前記所定の間隔を空けて配置された照明ユニットの各導光板の互いに向かい合う側の端部の発光面側を被うように搭載される面状照明装置（請求項３）。
本項に記載の面状照明装置は、照明ユニットが、光源の出射方向に対して所定の間隔を空けて配置され、補助導光板が、所定の間隔を空けて配置された照明ユニットの各導光板の互いに向かい合う側の端部の発光面側を被うように搭載される。すなわち、各照明ユニットが二次元状に隙間無く配列されるのではなく、所定の間隔を空けて配置され、各照明ユニットが、補助導光板によって橋渡しされるようにつなげられることで、発光面積の広い複合分割パネルバックライトが構成されるものである。各照明ユニットをつなぐ補助導光板は、各照明ユニットの導光板の発光面側から視認される迷光を減少させると共に、補助導光板自体が光源からの漏れ光を受けて発光し、複合分割パネルバックライト全体としての輝度を高めるものである。又、照明ユニットを間引いて配置できるので、照明ユニットの数が減少し、消費電力が削減される。
なお、補助導光板は、隣接する２つの照明ユニットのみ、各導光板の互いに向かい合う側の端部の発光面側を被うものであっても良く、又は、隣接するより多くの照明ユニットの、各導光板の互いに向かい合う側の端部の発光面側を、被うことが可能となるような、より広い面積を持つものであっても良い。又、各照明ユニットの導光板と補助導光板との固定方法としては、例えば、両者の接触面を紫外線硬化型あるいは可視光硬化型の光学接着剤を使用して接合する方法等が挙げられる。また、２つの照明ユニット間に板状の支持体を配置させ、その支持体上に補助導光板を搭載する構成としてもよい。その際、補助導光板と支持体との間に光反射フィルムを介在させてもよい。
【００２５】
（４）前記傾斜面には、増反射処理が施されている面状照明装置（請求項４）。
本項に記載の面状照明装置は、補助導光板の傾斜面に増反射処理が施されていることによって、各照明ユニットの光源によって生ずるホットスポット光や、各照明ユニットの導光板の入光端近傍エリアに発生する強い輝線が、補助導光板の下面から受光して、傾斜面にて効率的に光路変換される。そして、傾斜面で光路変換された光が補助導光板内を伝搬する過程で、発光面から各照明ユニットの導光板の発光面側へと出射することにより、補助導光板の発光面が効率良く発光する。なお、補助導光板の傾斜面に施される増反射処理としては、例えば、斜面に光反射率の高い銀等の金属薄膜や誘電体多層膜からなる光学薄膜を蒸着、スパッタで形成したり、光反射フィルムを貼付する手法が挙げられる。
【００２６】
（５）前記透光性部材は、少なくとも一方の主面に前記反射手段により反射された光の光路を変換する手段が形成されている面状照明装置（請求項５）。
本項に記載の面状照明装置は、少なくとも一方の主面に前記反射手段により反射された光の光路を変換する手段が形成されていることによって、傾斜面で光路変換された光が補助導光板内を伝搬する過程でさらにその光路が変換され、発光面から各照明ユニットの導光板の発光面側へと出射することにより、発光面が効率良く発光するものとなる。なお、光の光路を変換する手段としては、プリズムに代表される規則的な凹凸からなる溝や、微細な凹凸からなる粗面ドット等が挙げられる。
【発明の効果】
【００２７】
本発明はこのように構成したので、複合分割パネルバックライト形式の面状照明装置において、消費電力を低減させつつ、迷光の影響を受けることなく輝度の均一性を確保することが可能となる。
【発明を実施するための最良の形態】
【００２８】
以下、本発明の実施の形態を添付図面に基づいて説明する。ここで、従来技術と同一部分、若しくは相当する部分については同一符号で示し、詳しい説明を省略する。
本発明の実施の形態に係る面状照明装置は、図１、図２に示されるように、一主面を発光面とする導光板１６（図２）と、導光板１６の一側端面に配置されたＬＥＤチップ１４を光源とする照明ユニット１２を、二次元状に複数配列してなる、複合分割パネルバックライト２２である。また、各照明ユニット１２は、光源の出射方向、すなわち光源であるＬＥＤチップ１４の光が出射される方向に対して、所定の間隔Ｘ（図２（ａ））を空けて配置されている。そして、各照明ユニット１２の導光板１６の互いに向かい合う側の端部の発光面側（図１、図２の上面）を被うようにして、補助導光板２４が搭載されている。
【００２９】
補助導光板２４は、各照明ユニット１２の光源であるＬＥＤチップ１４の、導光板１６の発光面側に、光源からの光を拡散または反射するために配置された透光性部材である。図示の例では、ＬＥＤチップ１４からの漏れ光を拡散または反射する手段として、補助導光板２４には、各照明ユニット１２の各導光板１６の互いに向かい合う側の端部と重なる側端面に傾斜面２６が形成され、一主面２８を発光面とするものである。なお、傾斜面２６は、各照明ユニット１２の導光板１６の互いに向かい合う側の端部の発光面側（図１、図２の上面）を被った状態で、その一部又は前部が、ＬＥＤチップ１４の上方に架かり、ＬＥＤチップ１４の漏れ光を可能な限り多く反射することが可能な範囲に形成されている。
又、補助導光板２４の傾斜面２６には、増反射処理が施されている。具体的な増反射処理として、例えば、傾斜面２６に光反射率の高い銀等の金属薄膜や誘電体多層膜からなる光学薄膜を蒸着、スパッタで形成し、若しくは、光反射フィルムを貼付する手法が挙げられる。更に、補助導光板２６の、少なくとも一方の主面２８には、反射手段により反射された光の光路を変換する手段が形成されている。この光路変換手段としては、例えば、プリズムに代表される規則的な凹凸からなる溝や、微細な凹凸からなる粗面ドット等が挙げられる。
【００３０】
さて、図３には、ＬＥＤチップ１４から射出された光Ｌの、照明ユニット１２の導光板１６および補助導光板２４の内部における光路が模式的に示されている。図から明らかなように、ＬＥＤチップ１４から本来の出射方向へと出射された光は、照明ユニット１２の導光板１６の内部を進み、ＬＥＤチップ１４からの漏れ光や迷光は、補助導光板２４に入光してその内部を進み、一部は、補助導光板２４の傾斜面２６によって反射されて光路変更され、補助導光板２４の内部を進む。
なお、図４に示されるように、各照明ユニット１２のＬＥＤチップ１４が、互いに向かい合うようにして配置された場合にも、各照明ユニット１２のＬＥＤチップ１４の漏れ光や迷光が、補助導光板２４の両端面に形成された各傾斜面２６によって反射されて、光路変更されることで、補助導光板２４の内部を進み、補助導光板２４の発光に寄与することとなる。
【００３１】
上記構成をなす、本発明の実施の形態にかかる面状照明装置によれば、次のような作用効果を得ることが可能となる。
すなわち、複合分割パネルバックライト２２は、一主面を発光面とする導光板と、導光板の一側端面に配置された光源１４とを含む照明ユニット１２が、二次元状に配列されることによって、大型ＬＣＤパネルのバックライトとして最適な、発光面積の広い複合分割パネルバックライトが構成されるものである。しかも、各照明ユニット１２の光源であるＬＥＤチップ１４の、導光板１６の発光面側に、光源１４からの光を拡散または反射する手段２６を備える透光性部材２４が配置されている。この透光性部材２４によって、光源１４からの漏れ光を拡散または反射して、導光板１６の発光面側から視認される迷光を減少させると共に、透光性部材２４自体が光源１４からの光を受けて発光し、複合分割パネルバックライト２２全体としての輝度を、均等に高めるものである。透光性部材２４は、従来の迷光対策のために用いられる目隠しフィルム１８（図６）と異なり、遮光性や光反射性が求められるものではなく、それ自体光を受けて発光するものであることから、迷光を効率的に利用して、複合分割パネルバックライト２２全体としての輝度を確保することができる。従って、ＬＥＤチップ１４における消費電力の増大を避けつつ、迷光の影響を受けることなく、複合分割パネルバックライト２２の輝度の均一性を確保することができる。
【００３２】
図５（ａ）には、本発明の実施の形態に係る複合分割パネルバックライト２２の、照明ユニット１２と補助導光板２４とが交互に並ぶ方向（図１の矢印Ａ方向。）における輝度分布が示されている。図中、高輝度はＨ、低輝度はＬと表されている。このように、本発明の実施の形態に係る複合分割パネルバックライト２２は、全体に渡り輝度が一定となる。一方、図５（ｂ）には、比較のために、従来の複合分割パネルバックライト１０（図６）における、図５（ａ）と同様の輝度分布（図６（ａ）の矢印Ａ方向）が示されている。図５（ｂ）において、輝度の変化が現れている部分は、各照明ユニット１２のＬＥＤチップ１４上部や、導光板１６の入光端近傍を被うように、短冊状の目隠しフィルム１８を被せた部分であり、迷光および短冊状の目隠しフィルム１８による遮光の影響が現れている。更に、参考として、図５（ｃ）には、迷光対策を行っていない、すなわち、従来の複合分割パネルバックライト１０から短冊状の目隠しフィルム１８を取り外した場合の、図５（ａ）と同様の輝度分布（図６（ａ）の矢印Ａ方向）が示されている。図５（ｂ）、（ｃ）から明らかなように、従来の短冊状の目隠しフィルム１８を用いた複合分割パネルバックライト１０は、迷光に起因する輝度の変化を抑えることは可能であるが、若干その影響が残り、輝度分布を一定にするには至っていないことがわかる。
【００３３】
又、本発明の実施の形態では、光源１４からの光を拡散または反射する具体的手段として、補助導光板２４が用いられ、補助導光板２４の少なくとも一側端面に傾斜面２６が形成されており、各照明ユニット１２の光源１４によって生ずるホットスポット光や、各照明ユニット１２の導光板の入光端近傍エリアに発生する強い輝線が、補助導光板２４の下面から受光して傾斜面２６で光路変換される（図３、図４）。そして、傾斜面２６で光路変換された光Ｌが補助導光板２４内を伝搬する過程で、発光面（一主面２８）から各照明ユニット１２の導光板の発光面側（図１〜図４の上方）へと出射することにより、一主面２８が発光するものである。
【００３４】
又、照明ユニット１２が、光源１４の出射方向に対して所定の間隔を空けて配置され、補助導光板２４が、所定の間隔を空けて配置された照明ユニット１２の各導光板１６の互いに向かい合う側の端部の発光面側（図１〜図４の上方）を被うように搭載される。すなわち、各照明ユニット１２が二次元状に隙間無く配列されるのではなく、所定の間隔Ｘを空けて配置され、各照明ユニット１２が、補助導光板２４によって橋渡しされるようにつなげられることで、発光面積の広い複合分割パネルバックライト２２が構成されるものである。各照明ユニット１２をつなぐ補助導光板２４は、各照明ユニット１２の導光板１６の発光面側から視認される迷光を減少させると共に、補助導光板２４自体が光源１４からの漏れ光を受けて発光し、複合分割パネルバックライト２２全体としての輝度を高めるものである。又、照明ユニット１２を間引いて配置できるので、照明ユニット１２の数が減少し、消費電力が削減される。
【００３５】
更に、補助導光板２４の傾斜面２６に、光反射率の高い光学薄膜を蒸着、スパッタで形成したり、光反射フィルムを貼付する等の、増反射処理が施されていることによって、各照明ユニット１２の光源１４によって生ずるホットスポット光や、各照明ユニット１２の導光板１６の入光端近傍エリアに発生する強い輝線が、補助導光板２４の下面から受光して、傾斜面２６にて効率的に光路変換される。そして、傾斜面２６で光路変換された光Ｌが補助導光板２４内を伝搬する過程で、発光面（一主面２８）から各照明ユニット１２の導光板１６の発光面側へと出射することにより、補助導光板２４の一主面２８が効率良く発光する。
【００３６】
又、少なくとも一方の主面２８に、反射手段である傾斜面２６により反射された光Ｌの光路を変換する手段（例えばプリズムに代表される規則的な凹凸からなる溝、あるいは、微細な凹凸からなる粗面ドット等）が形成されていることによって、傾斜面２６で光路変換された光Ｌが補助導光板２４内を伝搬する過程でさらにその光路が変換され、発光面（一主面２８）から各照明ユニット１２の導光板１６の発光面側へと出射することにより、補助導光板２４の一主面２８が効率良く発光するものとなる。
【図面の簡単な説明】
【００３７】
【図１】本発明の実施の形態に係る面状照明装置を示す斜視図である。
【図２】図１の面状照明装置の構造を示すものであり、（ａ）は分解図、（ｂ）は部分組み立てずである。
【図３】本発明の実施の形態に係る面状照明装置において、照明ユニットの光源から射出された光の、照明ユニットの導光板および補助導光板の内部における光路を示す模式図である。
【図４】図３とは照明ユニットの光源の配置が異なる場合の、補助導光板の内部における光路を示す模式図である。
【図５】面状照明装置全体の輝度分布を示すものであり、（ａ）は本発明の実施の形態に係る複合分割パネルバックライトにかかる輝度分布図、（ｂ）は従来の複合分割パネルバックライトにかかる輝度分布図、（ｃ）は従来の複合分割パネルバックライトから、迷光対策である目隠しフィルムを除去した場合の輝度分布図である。
【図６】（ａ）は、従来の面状照明装置を模式的に示す斜視図であり、（ｂ）は、従来の面状照明装置の分解図である。
【符号の説明】
【００３８】
１０、２２：複合分割パネルバックライト、  １２：照明ユニット、１４：ＬＥＤチップ、１６：導光板、１８：目隠しフィルム、２０：光反射フィルム、２４：補助導光板、２６：傾斜面、２８：一主面
【図１】
2008108623.tif 000003
【図２】
2008108623.tif 000004
【図３】
2008108623.tif 000005
【図４】
2008108623.tif 000006
【図５】
2008108623.tif 000007
【図６】
2008108623.tif 000008